(57)【要約】【課題】いかなるバイアス値にも関係なく、高利得を等化器に適用可能とし、同時に過大なノイズの発生を抑える。【解決手段】装置は、タップの複数のグループを有しており、各グループが関連付けられたタップ値を有する少なくとも１つのタップを備えている適応フィルタと、少なくとも１つのタップ・グループに対する変倍係数を、そのグループのタップ値に応じて選択するコントローラとを備えている。コントローラはさらに、誤差値を、選択された変倍係数に応じて調節する。適応フィルタは、その少なくとも１つのタップ・グループのタップ値を、調節された誤差値に応じて適応させる。【選択図】図３
2009502097.tif 000002
【特許請求の範囲】
【請求項１】
タップの複数のグループを有しており、各グループが関連付けられたタップ値を有する少なくとも１つのタップを備えている適応フィルタと、
タップの少なくとも１つのグループに対する変倍係数を、前記グループのタップ値に応じて選択し、誤差値を、該選択された変倍係数に応じて調節するコントローラと
を備えており、
前記適応フィルタが、前記タップの少なくとも１つのグループのタップ値を、前記調節された誤差値に応じて適応させる
ことを特徴とする受信機。
【請求項２】
前記適応フィルタは、等化器の一部であることを特徴とする請求項１に記載の受信機。
【請求項３】
前記コントローラは、前記誤差値に前記選択された変倍係数を乗じて前記調節された誤差値を出力することを特徴とする請求項１に記載の受信機。
【請求項４】
前記コントローラは、前記タップの少なくとも１つのグループについて最大タップ値を決定し、該決定された最大タップ値に応じて前記変倍係数を選択することを特徴とする請求項１に記載の受信機。
【請求項５】
前記コントローラは、前記決定された最大タップ値と、各しきい値が特定の変倍係数に関連付けられている複数のしきい値とを比較することによって、前記変倍係数を選択することを特徴とする請求項４に記載の受信機。
【請求項６】
タップの複数のグループを有しており、各グループが関連付けられたタップ値を有する少なくとも１つのタップを備えている等化器を備えており、
前記等化器が、各グループのタップ値を調節し、少なくとも１つのグループのタップ値が、ステップサイズに応じて調節され、前記ステップサイズの値が、前記グループのタップ値に応じて選択されることを特徴とする受信機。
【請求項７】
前記選択されたステップサイズを出力するセレクタをさらに備えており、前記セレクタは、前記少なくとも１つのグループにおいて最大タップ値を決定し、前記決定された最大タップ値に応じて前記ステップサイズを選択することを特徴とする請求項６に記載の受信機。
【請求項８】
前記セレクタは、前記等化器の一部であることを特徴とする請求項７に記載の受信機。
【請求項９】
前記セレクタは、誤差値に前記選択されたステップサイズを乗じて、調節された誤差値を出力し、前記調節された誤差値は、等化器によって、前記少なくとも１つのグループのタップ値を調節するために用いられることを特徴とする請求項７に記載の受信機。
【請求項１０】
前記セレクタは、前記決定された最大タップ値と、各しきい値が特定のステップサイズに関連付けられている複数のしきい値とを比較することによって、前記ステップサイズを選択することを特徴とする請求項７に記載の受信機。
【請求項１１】
受信機において用いられる方法であって、
いくつかのタップを有する適応フィルタを用いて信号を適応的にフィルタリングするステップであって、前記いくつかのタップは、各タップ・グループが少なくとも１つのタップを有する複数のタップ・グループからなっているステップと、
前記フィルタリングされた信号に応じて誤差値を決定するステップと、
前記タップ・グループのうちの少なくとも１つのタップ値に応じて前記誤差値を調節して、調節された誤差値を与えるステップと、
前記タップ・グループのうちの前記少なくとも１つのタップを、前記調節された誤差値に応じて適応させるステップと
を含むことを特徴とする方法。
【請求項１２】
前記調節するステップは、
前記タップ・グループのうちの前記少なくとも１つのタップ・グループのタップ値に応じて変倍係数を選択するステップと、
前記誤差値に前記選択された変倍係数を乗じて前記調節された誤差値を与えるステップと
を含むことを特徴とする請求項１１に記載の方法。
【請求項１３】
前記選択するステップは、
前記タップ・グループにおいて最大タップ値を決定するステップと、
前記決定された最大タップ値に応じて前記変倍係数を選択するステップと
を含むことを特徴とする請求項１２に記載の方法。
【請求項１４】
前記変倍係数を選択するステップは、
前記決定された最大タップ値と、各しきい値が特定の変倍係数に関連付けられている複数のしきい値とを比較するステップを含むことを特徴とする請求項１３に記載の方法。
【請求項１５】
受信機において用いられる方法であって、
信号を等化器を用いて等化して、等化された信号を与えるステップであって、該等化器は、各タップ・グループが少なくとも１つのタップを有する複数のタップ・グループを有するステップと、
前記等化された信号に応じて誤差値を決定するステップと、
前記誤差値を調節して、調節された誤差値を与えるステップと、
前記複数のタップ・グループのうちの少なくとも１つのタップ値を、前記調節された誤差値に応じて適応させるステップと
を含むことを特徴とする方法。
【請求項１６】
前記調節するステップは、
前記少なくとも１つのタップ・グループのタップ値に応じてステップサイズを選択するステップと、
前記選択されたステップサイズに応じて前記誤差値を調節して、前記調節された誤差信号を与えるステップと
を含むことを特徴とする請求項１５に記載の方法。
【請求項１７】
前記誤差値を調節するステップは、
前記誤差値に前記選択されたステップサイズを乗じて前記調節された誤差信号を与えるステップを含むことを特徴とする請求項１６に記載の方法。
【請求項１８】
前記選択するステップは、
前記少なくとも１つのタップ・グループのタップ値から最大タップ値を決定するステップと、
前記決定された最大タップ値に応じて前記ステップサイズを選択するステップと
を含むことを特徴とする請求項１６に記載の方法。
【請求項１９】
前記ステップサイズを選択する前記ステップは、
前記決定された最大タップ値と、各しきい値が特定のステップサイズに関連付けられている複数のしきい値とを比較するステップを含むことを特徴とする請求項１８に記載の方法。
【発明の詳細な説明】
【技術分野】
【０００１】
本発明は、主として通信システムに関し、特に、（例えば、等化器のようなフィルタ素子の形成に用いられる）適応フィルタに関する。
【背景技術】
【０００２】
多くのデジタル・データ通信システムは、チャネル状態の変化や信号伝送チャネルに対する外乱の影響を補償するために、適応等化を用いる。等化器の、時間的に変化するチャネルを適応的に獲得及び追跡する能力は、タップ更新処理に適用される利得の大きさに応じて決まる。利得を高くするほど、チャネル状態のより急速な変化に対応することが可能となるが、それは、ある点までに限られる。いったん利得がその点を超えると、タップ内のジッタが過大になり、等化器出力の忠実度が低下する。
【０００３】
高利得の下、こうした自己誘導タップ・ノイズを制御するための１つの方法は、タップに対する他の唯一の駆動力が本質的にランダムである場合に、タップをゼロに駆動するバイアスをタップにかけることである。
【発明の開示】
【発明が解決しようとする課題】
【０００４】
この方法の不利な点は、利得が増え続けると、ゼロに向かわせるためのバイアスの値も増え続けなければならず、バイアスを強くし続けなければならないことである。すなわち、バイアス値によって、実質的に、適用可能な利得の大きさが制限される。
【課題を解決するための手段】
【０００５】
本願発明者は、（バイアス値が存在する場合には）いかなるバイアス値にも関係なく、高利得を等化器に適用することが可能であり、同時に過大なノイズの発生を抑えることが可能であることを見いだした。その結果、状態変化に素早く適応するように、等化器の能力をさらに高めることが可能となる。具体的には、かつ、本発明の原理によれば、装置は、タップの複数のグループを有しており、各グループが関連付けられたタップ値を有する少なくとも１つのタップを備えている適応フィルタと、少なくとも１つのタップ・グループに対する変倍係数をそのグループのタップ値に応じて選択し、誤差値を選択された変倍係数に応じて調節するコントローラとを備えており、この適応フィルタは、その少なくとも１つのタップ・グループのタップ値を、調節された誤差値に応じて適応させる。その結果、フィルタのタップのうち、フィルタ応答に対する重要な影響を有することが適応的に判明したタップにのみ高利得を適用し、それにより、タップに対する高利得の恩恵を、それが必要な場合に、過大ノイズの発生を抑えながら得ることが可能である。
【０００６】
本発明の実施形態によれば、受信機は等化器を備えており、この等化器はタップの複数のグループを有していて、各グループが関連付けられたタップ値を有する少なくとも１つのタップを備えており、さらに、等化器は、各グループのタップ値を調節し、少なくとも１つのグループのタップ値がステップサイズに応じて調節され、ステップサイズの値は、そのグループのタップ値に応じて選択されるのである。
【発明を実施するための最良の形態】
【０００７】
以下、本発明の好ましい実施形態を、添付図面を参照しながら詳細に説明する。
【０００８】
本発明の概念以外の、図面に示されている要素については、周知であることから、詳細な説明を行わない。また、テレビ放送及び受信機についても、よく知られているものとし、本明細書においては詳細な説明を行わない。例えば、本発明の概念以外の、テレビ規格の現行勧告及び勧告案、例えば、ＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）、ＰＡＬ（Ｐｈａｓｅ  Ａｌｔｅｒｎａｔｉｏｎ  Ｌｉｎｅｓ）、ＳＥＣＡＭ（ＳＥｑｕｅｎｔｉａｌ  Ｃｏｕｌｅｕｒ  Ａｖｅｃ  Ｍｅｍｏｉｒｅ）、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）（ＡＴＳＣ）等については、よく知られているものとする。同様に、本発明の概念以外の、８値残留側波帯（８−ＶＳＢ）のような伝送概念、直交振幅変調（ＱＡＭ）、無線周波数（ＲＦ）フロントエンドのような受信機の構成要素、あるいは、低ノイズ・ブロック、チューナ、復調器等の受信機セクションなどについても、よく知られているものとする。同様に、トランスポート・ビット・ストリームを生成するフォーマット方法及びエンコード方法（Ｍｏｖｉｎｇ  Ｐｉｃｔｕｒｅ  Ｅｘｐｅｒｔ  Ｇｒｏｕｐ（ＭＰＥＧ）−２  Ｓｙｓｔｅｍｓ  Ｓｔａｎｄａｒｄ（ＩＳＯ／ＩＥＣ  １３８１８−１）など）についても、よく知られているので、本明細書において説明しない。なお、本発明の概念は、従来のプログラミング手法によって実施可能であるが、従来のプログラミング手法については、本明細書において説明しないことに留意されたい。また、図面における類似の参照符号は、類似の要素を表す。
【０００９】
図１は、先行技術の判定帰還型の等化器（ＤＦＥ）１００を示している。ＤＦＥ  １００は、フィードフォワード（ＦＦ）・フィルタ１１５、加算器１２０、スライサ１２５、フィードバック（ＦＢ）・フィルタ１３０、及び誤差計算器１３５を備えている。ＦＦフィルタ１１５及びＦＢフィルタ１３０はともに、当該技術分野において知られているように適応フィルタであり、各フィルタは、（当該技術分野では係数とも呼ばれる）いくつかのタップ（図示せず）を備えており、各タップはタップ値（係数値）を有する。ハードウェアの効率を高めるために、各フィルタのタップは、一般に、大規模な乗算器のような高価なリソースを共用するグループの形に配置される。動作に関しては、未等化データが信号１１４を介してＦＦフィルタ１１５に入り、ＦＦフィルタ１１５は、ＦＦ出力信号１１６を加算器１２０に渡す。加算器１２０は、ＦＦ出力信号１１６と、ＦＢフィルタ１３０からのＦＢ出力信号１３１とを加算して、等化出力信号１２１を出力する。等化出力信号１２１は、受信機の他の部分（図示せず）と、スライサ１２５とに渡される。等化出力信号１２１は、信号点の系列を表し、各信号点は、同相（Ｉ）値及び直角位相（Ｑ）値をコンステレーション空間内に有する。ＤＦＥ  １００は帰還型の装置であり、帰還経路は、スライサ１２５及びＦＢフィルタ１３０を含む。スライサ１２５は、当該技術分野において知られているように判定装置であり、等化出力信号から伝達された可能性のあるシンボルに関して「硬判定」を行う。具体的には、スライサ１２５は、等化出力信号１２１の各信号点について、その信号点と、コンステレーション空間内のシンボル・コンステレーション（図示せず）とを比較し、シンボル・コンステレーションの中における、その信号点の値と最も近いシンボルを選択する。結果として、スライサ１２５は、信号１２６を介して、シンボルの系列をＦＢフィルタ１３０に渡す（それ故に、判定帰還型等化器と呼ばれる）。ＦＢフィルタ１３０は、このシンボル系列をフィルタリングし、（前述のように）ＦＢ出力信号１３１を加算器１２０に渡す。
【００１０】
前述したように、ＦＦフィルタ１１５もＦＢフィルタ１３０も適応フィルタであり、それらのタップ値は、全体としてのフィルタ応答がチャネル状態の変化に適応できるように、時間とともに調節される。ＦＦフィルタ１１５及びＦＢフィルタ１３０のタップ値の調節は、誤差計算器１３５で計算される等化データ誤差（単に「誤差」とも呼ばれる）の量に応じて実行される。誤差計算器１３５は、いくつかある方法（最も一般的なものは、ＣＭＡ（Ｃｏｎｓｔａｎｔ  Ｍｏｄｕｌｕｓ  Ａｌｇｏｒｉｔｈｍ）、判定指向法、又はトレーニング法である）のうちのいずれかによって誤差を計算する。トレーニング法及びＣＭＡ法は、誤差を導出するために等化出力信号（本明細書においては「軟等化器出力信号」とも呼ばれる）のみを必要とするが、判定指向法は、誤差を導出するために、軟等化器出力信号と、スライサからの硬判定との両方を用いる。そうしたことから、図１は、誤差計算器１３５が、信号１２１及び１２６の両方を受け取ることを示している。ＦＦフィルタ１１５とＦＢフィルタ１３０との間に固有の利得差があるため、誤差に対して、フィルタ毎に異なる変倍がなされる。これは、図１において、ＦＦフィルタ１１５及びＦＢフィルタ１３５に対して、それぞれ個別の調節信号１３６及び１３７を用いることによって表されている。
【００１１】
前述したように、等化器の、時間的に変化するチャネルを適応的に獲得し及び追跡する能力は、タップ更新処理に適用される利得の大きさに応じて決まる。ただし、利得値を大きくするために、タップ更新処理にバイアス値を使用して自己誘導タップ・ノイズの量を制限することが必要となる場合がある。さらに、このようなバイアス値を使用して自己誘導タップ・ノイズを制御する方法は、タップ更新処理に適用可能な利得の大きさをさらに制限することになる。これに対して、本願発明者は、（バイアス値が存在する場合に）いかなるバイアス値にも関係なく、高利得を等化器に適用することが可能であり、同時に過大なノイズの発生を抑えることが可能であることを見いだした。その結果、状態変化に素早く適応するように、等化器の能力をさらに高めることが可能となる。具体的には、かつ、本発明の原理によれば、装置は、タップの複数のグループを有しており、各グループが関連付けられたタップ（係数）値を有する少なくとも１つのタップを備えている適応フィルタと、少なくとも１つのタップ・グループに対する変倍係数をそのグループのタップ値に応じて選択し、誤差値を選択された変倍係数に応じて調節するコントローラとを備えており、この適応フィルタは、その少なくとも１つのタップ・グループのタップ値を、調節された誤差値に応じて適応させる。その結果、フィルタのタップのうち、フィルタ応答に対する重要な影響を有することが適応的に判明したタップにのみ高利得を適用し、それにより、タップに対する高利得の恩恵を、それが必要な場合に、過大ノイズの発生を抑えながら得ることが可能となるのである。
【００１２】
本発明の原理による例示的なテレビ装置１０のハイレベル・ブロック図を、図２に示す。テレビ（ＴＶ）装置１０は、受信機１５及びディスプレイ２０を含む。例えば、受信機１５は、ＡＴＳＣ互換受信機である。なお、受信機１５は、ＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）互換であってもよいことに留意されたい。すなわち、受信機１５は、ＴＶ装置１０がＮＴＳＣ放送のビデオ・コンテンツもＡＴＳＣ放送のコンテンツも表示できるように、ＮＴＳＣ動作モードとＡＴＳＣ動作モードとを有してもよい。本発明の概念の説明を簡単にするために、本明細書においては、ＡＴＳＣ動作モードのみについて説明する。受信機１５は、（例えば、アンテナ（図示せず）を介して）放送信号１１を受信し、この信号から（例えば、ＨＤＴＶ（高精細度ＴＶ）の）ビデオ信号を復元する処理を行い、ディスプレイにおけるビデオ・コンテンツの表示のために、この復元されたビデオ信号をディスプレイ２０に印加する。
【００１３】
図３は、本発明の原理による受信機１５の判定帰還型等化器（ＤＦＥ）２００の例示的な実施形態を示している。ＤＦＥ  ２００は、フィードフォワード（ＦＦ）・フィルタ２１５、加算器２２０、スライサ２２５、フィードバック（ＦＢ）・フィルタ２３０、誤差計算器２３５、誤差変倍器２５０、及び誤差変倍器２５５を備えている。ＦＦフィルタ２１５及びＦＢフィルタ２３０はともに適応フィルタであり、各フィルタは、いくつかのタップ（係数）（図示せず）を備えており、各タップはタップ値（係数値）を有する。本発明の概念以外の事項として、ＤＦＥ  ２００は、ＤＦＥ  １００に関して先に述べた動作と同様の動作を行う。具体的には、未等化データが信号２１４を介してＦＦフィルタ２１５に入り、ＦＦフィルタ２１５は、ＦＦ出力信号２１６を加算器２２０に渡す。加算器２２０は、ＦＦ出力信号２１６と、ＦＢフィルタ２３０からのＦＢ出力信号２３１とを加算して、等化出力信号２２１を出力する。等化出力信号２２１は、受信機の他の部分（図示せず）と、スライサ２２５とに渡される。等化出力信号２２１は、信号点の系列を表し、各信号点は、同相（Ｉ）値及び直角位相（Ｑ）値をコンステレーション空間内に有している。スライサ２２５は、等化出力信号から伝達された可能性のあるシンボルに関して「硬判定」を行い、シンボルの系列２２６をＦＢフィルタ２３０に渡す。ＦＢフィルタ２３０は、このシンボル系列をフィルタリングし、ＦＢ出力信号２３１を加算器２２０に渡す。
【００１４】
前と同様に、誤差計算器２３５は、等化データ誤差（誤差）の量を算出する。前述したように、いくつかある方法（最も一般的なものは、ＣＭＡ（Ｃｏｎｓｔａｎｔ  Ｍｏｄｕｌｕｓ  Ａｌｇｏｒｉｔｈｍ）、判定指向法、又はトレーニング法である）のうちのいずれかを用いることが可能である。トレーニング法及びＣＭＡ法は、誤差を導出するために等化出力信号（本明細書においては「軟等化器出力信号」とも呼ばれる）のみを必要とするが、判定指向法は、誤差を導出するために、軟等化器出力信号と、スライサからの硬判定との両方を用いる。従って、図２においては、誤差計算器２３５が信号２２１及び２２６の両方を受け取るが、それらの一方のみが必要であってもよい。等化データ誤差を算出する実際の方法は、本発明の概念とは無関係である。前述したように、ＦＦフィルタ２１５とＦＢフィルタ２３０との間に固有の利得差があるため、誤差に対して、フィルタ毎に異なる変倍がなされる。これは、図２において、ＦＦフィルタ２１５及びＦＢフィルタ２３５に対して、それぞれ個別の調節信号２３６及び２３７を用いることによって表されている。しかしながら、本発明の概念はそのように限定されるものではなく、１つの調節信号を両方のフィルタに与えることが可能であることに留意されたい。
【００１５】
本発明の原理によれば、適応フィルタは、少なくとも１つの誤差変倍器（本明細書ではコントローラとも呼ばれる）に結合される。誤差変倍器は、適応フィルタの一部であってもよく、適応フィルタの外部にあってもよい。ＤＦＥ  ２００で示された例の状況においては、２つの誤差変倍器２５０及び２５５があるが、本発明はそのように限定されるものではない。例えば、複数の適応フィルタ（例えば、ＦＦフィルタ２１５及びＦＢフィルタ２３０）からのタップ値を１つの誤差変倍器が処理してもよい。この例においては、誤差変倍器２５０及び２５５の動作は、それぞれが処理するタップ値に関する以外は同等である。そこで、以下の本発明の原理の説明においては、誤差変倍器２５０を用いる。
【００１６】
図４は、ＤＦＥ  ２００における、本発明の原理に関連する部分を示している。ＦＢフィルタ２３０は、ある数（Ｔ個）のタップ（３０５）を備えている。Ｔ個のタップ（３０５）は、Ｋ個のグループに分けられており、各グループはＮ個のタップを有する。すなわち、Ｔ＝（（Ｋ）（Ｎ））である（Ｋ＞０、Ｎ＞０）。これを、図４においては、タップ・グループ３０５−１から３０５−Ｋによって示している。図４では、タップ・グループをさらにタップ・グループ３０５−ｊによって示している。タップ・グループ３０５−ｊは、タップ３０６−ｊ−１から３０６−ｊ−Ｎによって表されたＮ個のタップを備える（０＜ｊ≦Ｋ）。なお、この例においては、各タップ・グループが同数（Ｎ個）のタップを有するように示されているが、本発明はそのように限定されるものではなく、各タップ・グループのタップの数は異なっていてもよいことに留意されたい。図４に示されるように、各タップ・グループのタップ値は、セレクタ２５５に結合されている。例えば、信号２３２−１は、タップ・グループ３０５−１のＮ個のタップ値を伝達し、信号２３２−ｊは、タップ・グループ３０５−ｊの（信号２３１−ｊ−１から２３２−ｊ−Ｎで表される）Ｎ個のタップ値を伝達し、信号２３２−Ｋは、タップ・グループ３０５−ＫのＮ個のタップ値を伝達する。
【００１７】
本発明の原理によれば、適応フィルタ内の各タップ・グループは、そのグループに対してタップの絶対値に応じて固有に変倍された誤差項を受け取り、それぞれのタップ更新処理において使用される。これを行う一つの例示的な方法を、図４に示した。セレクタ２５５は、いくつかの選択要素を備えており、各選択要素は誤差項（変倍子）を選択し、誤差項は、計算器２３５からの誤差をさらに調節する。この、さらに調節された誤差は、ＦＢフィルタ２３０に渡され、ＦＢフィルタ２３０におけるタップ更新処理に使用される。これを、セレクタ２５５の選択要素３１０によって説明する。選択要素３１０は、タップ・グループ３０５−ｊのＮ個のタップ値を処理し、誤差項を、信号３１１を介して乗算器３１５に送る。乗算器３１５は、計算器２３５からの誤差に（信号２３７を介して伝達された）誤差項を乗じて、上述のさらに調節された誤差を、信号３１６（これは図３の信号２５６の一部である）を介してＦＢフィルタ２３０に返す。従って、本発明の原理によれば、ＦＢフィルタ２３０のタップ更新処理において使用されるべき誤差の量は、ＦＢフィルタ２３０のタップ・グループ毎に固有に変倍されている。なお、セレクタ２５５がタップ・グループのタップを検査する方法は、様々であってよいことに留意されたい。例えば、セレクタ２５５は、（図４に示されるように）各タップを並列に検査してもよい。あるいは、セレクタ２５５は、各タップを直列に検査してもよい（例えば、各タップ値が直列にすべて走査されてからセレクタ２５５において処理されてよい）。直列の場合、グループ境界はあらかじめ決められているものとし、結果であるタップ値の直列ストリームにおけるグループ境界の位置は、セレクタ２５５に知られているものとする。しかしながら、本発明の内容からすると、グループ境界もプログラマブルであってよいことに留意されたい。
【００１８】
図５は、選択要素（例えば、図４の選択要素３１０）で使用される例示的なフロー・チャートを示している。ステップ５０５において、選択要素は、特定のタップ・グループのためのＮ個のタップ値を受け取る。ステップ５１０において、選択要素５１０は、変倍子（変倍係数（本明細書ではステップサイズとも呼ばれる））を、受け取ったタップ・グループのＮ個のタップ値に応じて選択する。選択機能の例を図６に示す。ただし、本発明の概念はそのように限定されるものではなく、他の選択機能を用いることも可能であることに留意されたい。図６に示された選択処理においては、変倍係数を、タップ・グループ内において最大であるタップ絶対値に応じて選択する。軸３０１は、増加するタップ絶対値の値を表す。選択要素５１０は、図４のタップ・グループ３０５−ｊについて最大のタップ絶対値を決定し、適切な変倍係数を選択する。具体的には、決定された最大タップ絶対値が「しきい値１」未満であれば、変倍係数Ｋ０が選択され、決定された最大タップ絶対値が「しきい値１」以上であって、「しきい値２」未満であれば、変倍係数Ｋ１が選択される（以降も同様）。ステップ５１５において、選択された変倍係数を用いて、誤差が調節される（例えば、図４の乗算器３１５）。最後に、ステップ５２０において、調節された誤差が適応フィルタに渡され、適応フィルタにおいてタップ更新処理に使用される。なお、前述のしきい値は、調節可能か又はプログラマブルであってもよいことに留意されたい。さらに、グループ内にタップが１つしかない場合、変倍係数選択は、その１つのタップの絶対値のみに基づくことになる。
【００１９】
前述したように、本発明の実施形態によれば、受信機は等化器を備えており、この等化器はタップの複数のグループを有していて、各グループが関連付けられたタップ値を有する少なくとも１つのタップを備えている。等化器は、各グループのタップ値を調節し、少なくとも１つのグループのタップ値がステップサイズに応じて調節され、ステップサイズの値は、そのグループのタップ値に応じて選択される。
【００２０】
本発明の概念の他の例示的な実施形態を、図７に示す。この例示的な実施形態においては、受信機（図示せず）において使用される集積回路（ＩＣ）６０５が、ＤＦＥ  ６２０と、バス６５１に結合された少なくとも１つのレジスタ６１０とを含む。例えば、ＩＣ  ６０５は、一体型アナログ／デジタル・テレビ・デコーダである。しかしながら、図示されているのは、ＩＣ  ６０５のうちの、本発明の概念に関係がある部分だけである。例えば、アナログ−デジタル変換器、他のフィルタ、デコーダなどは、簡単のために表示されていない。バス６５１は、プロセッサ６５０によって代表されるような受信機の他の構成要素との間の通信を提供する。レジスタ６１０は、ＩＣ  ６０５のうちの１つ又は複数のレジスタを表しており、各レジスタは、ビット６０９によって代表されるような１つ又は複数のビットを含む。ＩＣ  ６０５のうちのレジスタ又はレジスタの一部は、読み出し専用であっても、書き込み専用であっても、読み出し／書き込み用であってもよい。本発明の原理によれば、ＤＦＥ  ６２０は、前述した係数調節（又は動作モード）を含み、レジスタ６１０の少なくとも１つのビット（例えば、ビット６０９）が、このタップ値調節動作モードを有効に又は無効にするための、（例えば）プロセッサ６５０によって設定されることが可能なプログラマブル・ビットである。図７の状況においては、ＩＣ  ６０５は、ＩＣ  ６０５の入力ピン（リード）から、処理のためにＩＦ信号６０１を受け取る。関連する信号６０２が、フィルタリングのためにＤＦＥ  ６２０に加えられる。ＤＦＥ  ６２０のタップ値は、前述したように、さらに調節される（例えば、図４、５、及び６を参照）。ＤＦＥ  ６２０は、フィルタリングされた信号を表す信号６２１（例えば、前述の信号２２１）を出力する。図７には示されていないが、信号６２１は、ＩＣ  ６０５の外部にある回路に提供されてもよく、及び／又はレジスタ６１０を介してアクセス可能であってもよい。ＤＦＥ  ６２０は、内部バス６１１を介してレジスタ６１０と結合されている。内部バス６１１は、ＤＦＥ  ６２０とレジスタ６１０とのインターフェースとなる、ＩＣ  ６０５における他の信号経路及び／又は構成要素を表す。ＩＣ  ６０５は、信号６０６によって代表されるような１つ又は複数の復元された信号（例えば、コンポジット・ビデオ信号）を出力する。なお、本発明の原理によるＩＣ  ６０５の他の変形形態も可能であり、例えば、（例えば、ビット６１０を介する）タップ調節動作モードの外部制御は必須ではなく、ＩＣ  ６０５は、単純に前述したタップ調節を常に実行してもよいことに留意されたい。
【００２１】
本発明は、ハードウェア、ソフトウェア、又はハードウェアとソフトウェアとの組み合わせの形として実現可能である。本発明の態様は、コンピュータ・プログラム製品の形で実施されることも可能であり、このコンピュータ・プログラム製品は、本明細書に記載された方法の実施を可能にするすべての機能を備え、コンピュータ・システムにロードされたときに、これらの方法を実行することが可能である。このような内容のコンピュータ・プログラム又はアプリケーションは、情報処理能力を有するシステムに、特定の機能を、直接に、又は、ａ）別の言語、符号、又は表記への変換、ｂ）別のマテリアル形態での再現のいずれか１つ又は両方の後に、実行させることを意図した命令セットの、任意の言語、符号、又は表記による任意の表現を意味する。
【００２２】
以上を鑑みて、上述した内容は、本発明の原理を例示したものに過ぎず、従って、当業者であれば、本明細書には明示的に記載されていないが、本発明の原理を実施し、かつ、本発明の趣旨及び範囲から逸脱しない様々な変更態様構成を考案することが可能であろうことを理解されたい。例えば、別々の機能要素としての内容で例示されたこれらの機能要素を、１つ又は複数の集積回路（ＩＣ）において実施することが可能である。同様に、別々の要素として示されたそれらの要素のいずれか又はすべてを、（例えば、図５等で示されたステップのうちの１つ又は複数に対応する）関連付けられたソフトウェアを実行する格納プログラム制御プロセッサ（例えば、デジタル信号プロセッサ）などの形で実装することも可能である。さらに、各要素はテレビ装置１０内で１つにまとめられているように示されているが、テレビ装置１０内の要素は、それらの任意の組み合わせで、異なる複数の装置に分散していてもよい。例えば、図２の受信機１５は、ディスプレイ２０その他を内蔵する装置（ボックス）とは物理的に異なる装置（ボックス）（セットトップ・ボックスなど）の一部であってよい。さらに、本発明の原理は、地上放送としての内容で説明されているが、衛星、ケーブル、無線、その他の（ただし、これらに限定されない）、フィルタリングが必須である任意のタイプの通信システムに適用可能であることに留意されたい。従って、本明細書の例示的な実施形態に対して様々な修正を行うことが可能であること、及び、添付の特許請求項で定義される本発明の趣旨及び範囲から逸脱することなく、他の構成を考案することが可能であることを理解されたい。
【図面の簡単な説明】
【００２３】
【図１】先行技術の判定帰還型等化器を示す図である。
【図２】本発明の原理による受信機の例示的なブロック図である。
【図３】本発明の原理による例示的な判定帰還型等化器を示す図である。
【図４】本発明の概念を図３の判定帰還型等化器の内容でさらに詳しく示した図である。
【図５】本発明の原理による方法を示す例示的なフロー・チャートである。
【図６】図５のフロー・チャートにおいて使用される例示的なしきい値を示す図である。
【図７】本発明の原理による他の例示的な実施形態を示す図である。
【符号の説明】
【００２４】
１０  テレビ装置
１１  放送信号
１５  受信機
２０  ディスプレイ
１００  先行技術の判定帰還型等化器
１１４  未等化データを伝達する信号
１１５  フィードフォワード・フィルタ
１１６  フィードフォワード出力信号
１２０  加算器
１２１  等化出力信号
１２５  スライサ
１２６  スライサ出力信号
１３０  フィードバック・フィルタ
１３１  フィードバック出力信号
１３５  誤差計算器
１３６、１３７  調節信号
２００  判定帰還型等化器（ＤＦＥ）
２１４  未等化データを伝達する信号
２１５  フィードフォワード・フィルタ
２１６  フィードフォワード出力信号
２２０  加算器
２２１  等化出力信号
２２５  スライサ
２２６  シンボルの系列
２３０  フィードバック・フィルタ
２３１  フィードバック出力信号
２３２  タップ値を伝達する信号
２３５  誤差計算器
２３６、２３７  調節信号
２５０、２５５  誤差変倍器（セレクタ）
３０５  タップ・グループの集まり
３０６  タップ・グループ内のタップ
３１０  選択要素
３１１  誤差項を伝達する信号
３１５  乗算器
３１６  さらに調節された誤差を伝達する信号
６０１  ＩＦ信号
６０２  フィルタリングに関連する信号
６０５  集積回路（ＩＣ）
６０６  復元された信号
６０９  ビット
６１０  レジスタ
６１１  内部バス
６２０  ＤＦＥ
６２１  フィルタリングされた信号
６５０  プロセッサ
６５１  バス
【図１】
2009502097.tif 000003
【図２】
2009502097.tif 000004
【図３】
2009502097.tif 000005
【図４】
2009502097.tif 000006
【図５】
2009502097.tif 000007
【図６】
2009502097.tif 000008
【図７】
2009502097.tif 000009
【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
タップの複数のグループを有しており、各グループが関連付けられたタップ値を有する少なくとも１つのタップを備えている適応フィルタと、
タップの少なくとも１つのグループに対する変倍係数を、前記グループのタップ値に応じて選択し、誤差値を、該選択された変倍係数に応じて調節するコントローラと
を備えており、
前記適応フィルタが、前記タップの少なくとも１つのグループのタップ値を、前記調節された誤差値に応じて適応させる
ことを特徴とする受信機。
【請求項２】
前記適応フィルタは、等化器の一部であることを特徴とする請求項１に記載の受信機。
【請求項３】
前記コントローラは、前記誤差値に前記選択された変倍係数を乗じて前記調節された誤差値を出力することを特徴とする請求項１に記載の受信機。
【請求項４】
前記コントローラは、前記タップの少なくとも１つのグループについて最大タップ値を決定し、該決定された最大タップ値に応じて前記変倍係数を選択することを特徴とする請求項１に記載の受信機。
【請求項５】
前記コントローラは、前記決定された最大タップ値と、各しきい値が特定の変倍係数に関連付けられている複数のしきい値とを比較することによって、前記変倍係数を選択することを特徴とする請求項４に記載の受信機。
【請求項６】
受信機において用いられる方法であって、
いくつかのタップを有する適応フィルタを用いて信号を適応的にフィルタリングするステップであって、前記いくつかのタップは、各タップ・グループが少なくとも１つのタップを有する複数のタップ・グループからなっているステップと、
前記フィルタリングされた信号に応じて誤差値を決定するステップと、
前記タップ・グループのうちの少なくとも１つのタップ値に応じて前記誤差値を調節して、調節された誤差値を与えるステップと、
前記タップ・グループのうちの前記少なくとも１つのタップを、前記調節された誤差値に応じて適応させるステップと
を含むことを特徴とする方法。
【請求項７】
前記調節するステップは、
前記タップ・グループのうちの前記少なくとも１つのタップ・グループのタップ値に応じて変倍係数を選択するステップと、
前記誤差値に前記選択された変倍係数を乗じて前記調節された誤差値を与えるステップと
を含むことを特徴とする請求項６に記載の方法。
【請求項８】
前記選択するステップは、
前記タップ・グループにおいて最大タップ値を決定するステップと、
前記決定された最大タップ値に応じて前記変倍係数を選択するステップと
を含むことを特徴とする請求項７に記載の方法。
【請求項９】
前記変倍係数を選択するステップは、
前記決定された最大タップ値と、各しきい値が特定の変倍係数に関連付けられている複数のしきい値とを比較するステップを含むことを特徴とする請求項８に記載の方法。
【国際調査報告】
2009502097.tif 000010
2009502097.tif 000011